(57)【要約】【課題】ベルトコンベヤのリターン側ベルトの蛇行を自動調芯すると共に、旋回スタンドの旋回を阻害する不都合をなくすることにある。【解決手段】ベルトコンベヤＡに於けるリターン側ベルト１の上側に前記リターン側ベルトを横切る水平材５を設け、この水平材の下側に両端が上記ベルトの両側縁の方向に向く旋回スタンド９を配置すると共に、この旋回スタンドの両端間の中央を上記水平材に旋回支軸７が垂直な軸承部８を介し吊り下げ状に支承し、この旋回スタンドに上記リターン側ベルトの表面を支承するリターンローラ４を支持し、上記旋回スタンドの両端に蛇行した際の上記リターン側ベルトの側縁が当接する蛇行検知ローラ１５を設けた構成を採用する。【選択図】図１
2017001756.tif 000002
【特許請求の範囲】
【請求項１】
ベルトコンベヤに於けるリターン側ベルトの上側に前記リターン側ベルトを横切る水平材を設け、この水平材の下側に両端が上記ベルトの両側縁の方向に向く旋回スタンドを配置すると共に、この旋回スタンドの両端間の中央を上記水平材に旋回支軸が垂直な軸承部を介し吊り下げ状に支承し、この旋回スタンドに上記リターン側ベルトの表面を支承するリターンローラを支持し、上記旋回スタンドの両端に蛇行した際の上記リターン側ベルトの側縁が当接する蛇行検知ローラを設けたことを特徴とするリターン側ベルトの蛇行調芯装置。
【発明の詳細な説明】
【技術分野】
【０００１】
この発明は、ベルトコンベヤに於けるリターン側ベルトの蛇行を修正する自動調芯装置に関する。
【背景技術】
【０００２】
ベルトコンベヤに於けるリターン側ベルトの蛇行を修正する自動調芯の蛇行調整手段としては、リターン側ベルトの下を横切る固定スタンドと、固定スタンドの上側に並列し、固定スタンドの中央部に設けた旋回軸で旋回スタンドを軸承する。
【０００３】
そして、この旋回スタンドの上側にリターン側ベルト面を支承するリターンローラを設ける。
【０００４】
リターン側ベルトの蛇行にともない旋回スタンドの両端に設けてある検知ローラの外周面に上記リターン側ベルトの側縁が当接すると、検知ローラが旋回スタンドと共にリターンローラを旋回（平面上で）させて、リターン側ベルトの蛇行を修正する自動調芯作用が行われるようになっている（特許文献１の図９、１２、１３参照）。
【先行技術文献】
【特許文献】
【０００５】
【特許文献１】特開２００８−０９４５４６号公報
【発明の概要】
【発明が解決しようとする課題】
【０００６】
ところで、従来の方式によると、固定スタンドに取り付けた旋回軸（軸承部分）が、旋回スタンドの下方で、かつリターン側ベルトの下側に位置する。
【０００７】
すると、キャリヤ側ベルトの上側表面に付着した付着物は、リターン側ベルトの表面がリターン側で下側になるため、付着物が落下し、落下した付着物が飛散して、落下付着物が旋回スタンドの旋回軸の軸承部分に堆積する。
【０００８】
この堆積によって旋回スタンドの旋回軸承部分のスムーズな旋回が阻害されて自動調芯の機能を損なう問題があった。
【０００９】
そこで、この発明は、上述の問題を解消したリターン側ベルトの自動調芯装置を提供することにある。
【課題を解決するための手段】
【００１０】
上記の課題を解決するために、この発明は、ベルトコンベヤに於けるリターン側ベルトの上側に前記リターン側ベルトを横切る水平材を設け、この水平材の下側に両端が上記ベルトの両側縁の方向に向く旋回スタンドを配置すると共に、この旋回スタンドの両端間の中央を上記水平材に旋回支軸が垂直な軸承部を介し吊り下げ状に支承し、この旋回スタンドに上記リターン側ベルトの表面を支承するリターンローラを支持し、上記旋回スタンドの両端に蛇行した際の上記リターン側ベルトの側縁が当接する蛇行検知ローラを設けた構成を採用する。
【発明の効果】
【００１１】
以上のように、この発明のリターン側ベルトの自動調芯装置によれば、リターン側ベルトの下位表面側を支承するリターンローラの支持旋回スタンドを、リターン側ベルトの上側を横切るように配置して、この旋回スタンドの中間を旋回スタンドの上側水平材に軸承部を介し支持してあるので、旋回軸承部分がリターン側ベルトの裏面上方になる。
【００１２】
このため、リターン側ベルトの表面付着物が落下しても、旋回スタンドの軸承部分に堆積することがない。すなわち、堆積付着物による旋回機能を損なうことなく、旋回スタンドのスムーズな旋回機能を恒久的に保障することができる特有な効果がある。
【図面の簡単な説明】
【００１３】
【図１】この発明の実施形態を示す一部切欠正面図である。
【図２】同上の平面図である。
【図３】一部切欠側面図である。
【図４】旋回支軸の部分を示す縦断拡大側面図である。
【発明を実施するための形態】
【００１４】
次に、この発明の実施形態を添付図面に基づいて説明する。
この発明の実施形態では、図１から図３に示すように、Ａはベルトコンベヤである。
【００１５】
このベルトコンベヤＡは、周知のようにヘッドプーリとテールプーリ（いずれも図示省略）とにかけ渡した無端状のベルト１と、このベルト１のキャリヤ側裏面（前後に多数列並設して）を支承するようキャリヤ側固定スタンド２に支持させたキャリヤローラ３と、ベルト１のリターン側表面を支承するリターンローラ４とで構成される。
【００１６】
上記キャリヤローラ３は、図１に示すように、センターローラと、その両側に配置したサイドローラとを直列状に並べて、ベルト１をトラフ型に支承している。
【００１７】
そして、キャリヤローラ３の設置固定スタンド２は、図１に示すように、リターン側ベルト１の上側を横切ってコンベヤフレーム６に両端を取り付けた水平材５と、この水平材５の両端及び中央部から上方に起立するスタンド２１とで構成され、この各スタンド２１にキャリヤローラ３のセンター軸の両端を支持させる。
【００１８】
また、水平材５とは別に、リターン側ベルト１の上側を横切ると共に、その両端がブラケット２２によってコンベヤフレーム６に取り付けられた支持部材１０が設けてある。
【００１９】
そして、この支持部材１０の両端間の中央に軸承部８を設けて、この軸承部８に旋回スタンド９の両端間の中央を軸承部８の旋回支軸７を介し吊り下げ状に軸承して、上記旋回スタンド９が平面上で旋回するようにしてある。
【００２０】
上記の旋回スタンド９には、リターン側ベルト１の表面（図示下面）を支承するリターンローラ４が保持させてある。
【００２１】
上記のリターンローラ４は、図１、２、３に示すように、旋回スタンド９の両端から下方に突出したアーム１１の下端にリターン側ベルト１の走行方向に底が向く横Ｕ字状の切欠き１２を設けて、この切欠き１２にリターンローラ４のセンター軸１３の突出端を嵌入する。
【００２２】
その際、図３に示すようにセンター軸１３の突出端外周面１８０°の異なる位置に設けてある切欠溝１４を切欠き１２の両側縁に係合状態に押し込んで、センター軸１３を不回転に支持する。
【００２３】
すると、リターン側ベルト１の走行方向にリターンローラ４が引き込まれて、運転中での切欠き１２からのセンター軸１３の脱落を防止すると共に、故障したリターンローラ４の交換を一々ベルト１を持ち上げることなくスムーズに交換できる。勿論、切欠き１２からセンター軸１３がベルト１の走行方向の反対方向に脱出しないように、切欠き１２の開放端側に止め板をビス止め（いずれも図示省略）することもあるが、限定されない。
【００２４】
なお、リターンローラ４は、１本に限定されず複数本を直列状に並べることもあり、また旋回スタンド９に対するリターンローラ４の支持も上述の方式に限定されない。
【００２５】
また、旋回スタンド９の両端には、リターン側ベルト１の両側縁に臨む、すなわち、蛇行した際のリターン側ベルト１の側縁が接触する蛇行検知ローラ１５が設けてある。
【００２６】
上記の蛇行検知ローラ１５は、図２、３に示すように、アーム１１から突出する蛇行検知ローラスタンド１６に支持させてある。
【００２７】
すると、リターン側ベルト１の蛇行にともないリターン側ベルト１の蛇行突出方向側の縁とその外側の検知ローラ１５とが接触すると、旋回スタンド９が旋回する。
【００２８】
この旋回でリターン側ベルト１の蛇行が修正され、修正後に旋回スタンド９が元の位置に戻る自動調芯の役目をする。
【００２９】
すると、旋回スタンド９の旋回点がリターン側ベルト１の上側に位置して旋回スタンド９が吊り下げる構造となっているので、旋回点の支軸７及び軸承部８にはリターン側ベルト１の表面から落下する付着物が堆積しない。
【００３０】
このため、旋回点の旋回機能を損なうことなく、恒久的なスムーズな旋回を保障することができる。
【００３１】
なお、旋回スタンド９と共に旋回するリターンローラ４によるリターン側ベルト１の蛇行修正の作用は、周知につき詳細な説明を省略する。
図中２２はフレーム６に対する支持部材１０の取り付けブラケットである。
【符号の説明】
【００３２】
Ａ  ベルトコンベヤ
１  ベルト
２  固定スタンド
３  キャリヤローラ
４  リターンローラ
５  水平材
６  フレーム
７  支軸
８  軸承部
９  旋回スタンド
１０  支持部材
１１  アーム
１２  切欠き
１３  センター軸
１４  切欠溝
１５  蛇行検知ローラ
１６  蛇行検知ローラスタンド
２１  スタンド
２２  ブラケット
【図１】
2017001756.tif 000003
【図２】
2017001756.tif 000004
【図３】
2017001756.tif 000005
【図４】
2017001756.tif 000006